(57)【要約】【課題】Ａ３の大きさの光沢紙や光沢フィルムへの高速で高品位の写真調画像カラープリントが可能である一方、Ａ１判などの大きいサイズの被記録材へのプリントが可能なプリント装置を廉価に提供する。【解決手段】被記録材の搬送方向と異なる方向に、複数のプリント素子を配列してなる複数のプリントヘッドを配列し、該被記録材をプリントヘッドに対して該被記録材の搬送方向に相対移動させるプリント装置であって、同色用の複数プリントヘッドの位置を変える複数のプリントモードを有するプリント装置。【選択図】  図４
2004216793.tif 000002
【特許請求の範囲】
【請求項１】
被記録材の搬送方向と異なる方向に、複数のプリント素子を配列してなる複数のプリントヘッドを配列し、該被記録材をプリントヘッドに対して該被記録材の搬送方向に相対移動させるプリント装置であって、
同色用の複数プリントヘッドの位置を変える複数のプリントモードを有するプリント装置。
【請求項２】
前記複数のプリントモードが被記録材の幅に応じて選択されることを特徴とする請求項１に記載のプリント装置。
【請求項３】
前記複数のプリントモードが印字幅に応じて選択されることを特徴とする請求項１に記載のプリント装置。
【請求項４】
前記複数のプリントモードがシングルヘッドプリントモードとマルチヘッドプリントモードであることを特徴とする請求項１乃至３の何れかの１項に記載のプリント装置。
【請求項５】
前記複数のプリントモードを切り替える手段が、複数の同色用プリントヘッドのうち、少なくともひとつをプリント素子列と平行の方向に相対移動させる手段であることを特徴とする請求項１乃至４の何れかの１項に記載のプリント装置。
【請求項６】
前記シングルヘッドプリントモードにおいて、あらかじめ設定されたプリント枚数毎に、複数の同色用プリントヘッドを並び替える手段を具えたことを特徴とする請求項５に記載のプリント装置。
【請求項７】
前記シングルヘッドプリントモードにおいて、プリント素子使用履歴記憶装置を備え、前記シングルヘッドプリントモードにおいて、同色用プリントヘッド間でプリント素子使用回数に開きがでた場合、複数の同色用プリントヘッドの配列を並び替える手段を具えたことを特徴とする請求項５に記載のプリント装置。
【請求項８】
前記シングルヘッドプリントモードにおいて、あらかじめ設定されたプリント時間毎に、複数の同色用プリントヘッドの配列を並び替える手段を具えたことを特徴とする請求項５に記載のプリント装置。
【請求項９】
前記シングルヘッドプリントモードにおいて、複数の同色用プリントヘッドを、前記被記録材の幅より広く配列させることを特徴とする請求項１から８のいずれかの項に記載のプリント装置。
【請求項１０】
前記シングルヘッドプリントモードにおいて、複数の同色用プリントヘッドを、印字幅より広く配列させることを特徴とする請求項１乃至８のいずれかの１項に記載のプリント装置。
【発明の詳細な説明】
【０００１】
【発明の属する技術分野】
本発明は、インクジェットプリント装置などのプリント装置に関し、特に比較的広い範囲にわたって多数のインク吐出口などのプリント素子を配列してなる所謂フルマルチタイプのヘッドを用いるインクジェットプリント装置に適用して好適なものである。
【０００２】
【従来の技術】
プリンタ，複写機，ファクシミリ等に用いられるプリント装置、あるいはコンピュータやワードプロセッサ等を含む複合電子機器やワークステーションなどの出力機器として用いられるプリント装置は、プリント情報に基づいて用紙やプラスチック薄板等の被記録材に画像（文字や記号等を含む）をプリントして行くように構成されている。かかるプリント装置は、プリント方式により、インクジェット式、ワイヤドット式、サーマル式、レーザービーム式等に分けることができる。
【０００３】
被記録材の搬送方向（副走査方向）と交叉する方向に主走査しながらプリント動作を行なう所謂シリアルタイプのプリント装置においては、被記録材に沿って移動するプリント手段（プリントヘッド）によって画像を形成し、１主走査分のプリント動作を終了する毎に所定量の紙送りを行ない、その後に再び停止した被記録材に対して次の主走査でのプリント動作を行なうという処理を繰り返すことにより、被記録材全域に対するプリントが行なわれるものである。
【０００４】
一方、プリント動作に際して被記録材の搬送方向の副走査移動のみを伴うラインタイプのプリント装置においては、被記録材を所定位置にセットし、１ライン分一括のプリント動作を連続して行ないながら所定量の紙送りを行なうことで、被記録材全域に対するプリントが行なわれる。
【０００５】
上述の各方式のプリント装置のうち、インクジェット式のプリント装置（インクジェットプリント装置）は、プリント手段たるプリントヘッドから被記録材に対しインクを吐出してプリントを行なうものであり、プリントヘッドのコンパクト化が容易であること、高精彩の画像を高速に形成できること、所謂普通紙に特別の処理を必要とせずプリントすることができるのでランニングコストが低廉であること、ノンインパクト方式であるので騒音が小さいこと、多色のインクを使用してカラー画像を形成するための構成を採るのが容易であること、等の利点を有している。そして、中でも被記録材の搬送方向と直交する方向に多数のプリント素子とノズル（インク吐出口）を配列してなる所謂フルマルチタイプのプリントヘッドを用いるラインプリンタ形態のものは、画像形成の一層の高速化が可能である。
【０００６】
一方、昨今の画像を形成する際の一層の高速化や高画質化そして被記録材の幅拡大化の要求は著しい。例えば，モノクローム画像では解像度６００×６００ｄｐｉ（ドット／インチ）でＡ４判の被記録材にプリントを行なう場合には毎分３０頁以上のプリント速度が求められ、一方カラー画像に対しては写真超画像をプリントするためにインク吸収速度のおそい光沢紙と光沢フィルム（Ａ４からＡ３程度の大きさが良く使われる）への解像度１２００×１２００ｄｐｉ以上の品質でのプリントが求められることも珍しくない状況である。またカラー画像に関しては、ポスター，チラシ等の作成に対応も求められている。そのような用途に対しては、プリント速度および高画質化に対する要求は希少であるものの、大きいサイズ（Ａ１判など）の被記録材へのプリントも求められるようなっている。
【０００７】
【発明が解決しようとする課題】
従来、フルマルチタイプのプリントヘッドを用いるラインプリンタ形態のインクジェットプリント装置では、プリント画像の品質を維持ないし向上する目的や更なる高速化する目的で、隣接するノズルから吐出されたインク滴の被記録材上における合体や、被記録材により吸収しきれないインクのあふれに起因した画像のむらをなくすために、図１８に示すように被記録材の搬送方向に同色用のプリントヘッドを複数並べ、被記録材の同一部分に少量のインクを複数回、時間をあけて吐出してプリントするようにしているものがある。この方法は、インクジェットプリント装置には限定されるものではなく、ワイヤドット式、サーマル式等の他のプリント方式のプリント装置でも、プリント素子の欠陥やプリント素子の配列位置の製造上の誤差に起因する画質の劣化をなくすことが出来る。
【０００８】
しかし、光沢紙や光沢フィルムへの写真調項画質、大きいサイズの被記録材へのプリント等の要求に同時に応えるためには、従来の同色複数ラインプリンタ型のインクジェットプリント装置では、例えばＡ１判の被記録材へのプリントが求められる場合、少なくともその短辺（５９４ｍｍ）に対応した幅に、１２００ｄｐｉの密度でプリント素子を配列したフルマルチヘッドが色別に複数必要となる。そのようなヘッドは製造することが困難であり、かつ製造しても非常に高価なものとならざるを得ない。
【０００９】
以上のように、従来の同色複数フルマルチタイプのプリントヘッドを用いるラインプリンタ形態のプリント装置では、Ａ３の大きさの光沢紙，光沢フィルムへの高品位の写真調画像カラープリント、Ａ１判などの大きいサイズの被記録材へのプリントのすべてに応え得ることは技術的に困難であり、かつ実現した場合にも高価な装置となってしまうという問題があった
従って本発明の目的は、それらの要求のすべてに応え得るプリント装置を廉価に提供することにある。
【００１０】
【課題を解決するための手段】
その為本発明では、被記録材の搬送方向と異なる方向に、複数のプリント素子を配列してなる複数のプリントヘッドを配列し、該被記録材をプリントヘッドに対して該被記録材の搬送方向に相対移動させるプリント装置であって、
同色用の複数プリントヘッドの位置を変える複数のプリントモードを有する。
【００１１】
好ましくは、複数のプリントモードが被記録材の幅に応じて選択されることを特徴とする。
【００１２】
また、複数のプリントモードが印字幅に応じて選択されることを特徴とする複数のプリントモードがシングルヘッドプリントモードとマルチヘッドプリントモードであることを特徴とする。
【００１３】
さらに好ましくは、複数のプリントモードがシングルヘッドプリントモードとマルチヘッドプリントモードであることを特徴とする。
【００１４】
一層好ましくは、複数のプリントモードを切り替える手段が、複数の同色用プリントヘッドのうち、少なくともひとつをプリント素子列と平行の方向に相対移動させる手段であることを特徴とする。
【００１５】
より一層好ましくは、シングルヘッドプリントモードにおいて、あらかじめ設定されたプリント枚数毎に、複数の同色用プリントヘッドを並び替える手段を具えたことを特徴とする。
【００１６】
また、シングルヘッドプリントモードにおいて、プリント素子使用履歴記憶装置を備え、前記シングルヘッドプリントモードにおいて、同色用プリントヘッド間でプリント素子使用回数に開きがでた場合、複数の同色用プリントヘッドの配列を並び替える手段を具えたことを特徴とする。
【００１７】
さらに一層好ましくは、プリントモードにおいて、あらかじめ設定されたプリント時間毎に、複数の同色用プリントヘッドの配列を並び替える手段を具えたことを特徴とする。
【００１８】
さらにより一層好ましくは、シングルヘッドプリントモードにおいて、複数の同色用プリントヘッドを、前記被記録材の幅より広く配列させることを特徴とする。
【００１９】
また、シングルヘッドプリントモードにおいて、複数の同色用プリントヘッドを、印字幅より広く配列させることを特徴とする。
【００２０】
なお、本明細書において、「プリント」とは、文字、図形等有意の情報を形成する場合のみならず、有意無意を問わず、また人間が視覚で知覚し得るように顕在化したものであるか否かを問わず、広く被記録材上に画像、模様、パターン等を形成する、または媒体の加工を行う場合も言うものとする。
【００２１】
また、「被記録材」とは、一般的なプリント装置で用いられている紙のみならず、広く布，プラスチックフィルム，金属板等、ヘッドによって吐出されるインクを受容可能なものも言うものとする。
【００２２】
また、「インク」とは、上記「プリント」の定義と同様広く解釈されるべきもので、被記録材上に付与されることによって画像，模様，パターン等の形成、または被記録材の加工に供されうる液体を言うものとする。
【００２３】
さらに、「シングルヘッドプリントモード」とは、被記録材の不特定の１部分が１色に関し一つのヘッドのみでプリントされることによって画像，模様，パターン等の形成、または被記録材の加工を行うプリントモードを言うものとする。
【００２４】
また、「マルチヘッドプリントモード」とは、被記録材の不特定の１部分が１色に関し複数のヘッドでプリントされることによって画像，模様，パターン等の形成、または被記録材の加工を行うプリントモードを言うものとする。
【００２５】
【発明の実施の形態】
以下、本発明の実施形態について図面を参照して説明する。
【００２６】
（第１の実施形態）
以下に本発明に基づく第１の実施形態のプリント装置の構成について説明する。図１は本実施形態のプリント装置の外観を示す斜視図である。このプリント装置は、被記録材１２がセットされる給紙トレイ１と、印刷され、排紙された被記録材１２を受ける排紙トレイ２を備えている。図２はこのプリント装置内の主要な構成を示す模式図である。プリント装置内には、図示していない通紙モータによって回転駆動され、被記録材１２を給紙トレイ１から排紙トレイ２へと搬送する搬送ベルト１１および搬送ローラ１７，１８が設けられている。
【００２７】
図２に示すようにこのプリント装置は４色（黒、イエロー、マゼンタ、シアン）用のプリントヘッドをそれぞれ一対づつ備えている。各色のインクは、図示されていないインクタンクから、図示していないフレキシブルなインク管により各色インク用のプリンタヘッドにそれぞれ供給されている。図３は図２のプリントヘッド部分の、被記録材側から見た拡大図である。
【００２８】
図３に示すように各プリントヘッドの被記録材側には図示していないプリント素子とノズル２０が、等間隔でＡ３用紙幅に相当する２９７ｍｍにわたり配列されている。
【００２９】
図４は本発明のプリント装置の制御系の構成の一例を示すブロック図である。図４において、３１はプリントデータ入力部、３２は操作部、３３は各種処理を行うＣＰＵ部、３４は各種データを記憶する記憶媒体、３４ａは被記録材に主に種類に関する情報、３４ｂはプリントに用いるインクに関する情報、３４ｃは各種制御プログラム群を示している。さらに、３５はＲＡＭ、３６はプリントデータ処理部、３７は画像出力を行う画像記録部、３８は各種データを転送するバス部、３９はプリントヘッド位置制御モータ部である。
【００３０】
詳述すると、３１はパーソナルコンピュータのハードディスク等に保存されている多値プリントデータを入力するプリントデータ入力部、３２は各種パラメータの設定および印字開始を指示する各種キーを備えている操作部、３３は記憶媒体中の各種プログラムに従って本記録装置全体を制御するＣＰＵである。３４は制御プログラムやエラー処理プログラムに従って本記録装置を動作させるためのプログラムなどを格納している記憶媒体である。
【００３１】
本プリント装置は本発明の第５の請求項に基づき、プリントヘッドをプリント素子列と平行の方向に移動させる手段を備えている。前記ＣＰＵはプリントヘッド位置制御モータ３９と図示していないプリントヘッド移動ベルトを介し前記プリントヘッドを移動図中の矢印Ａ，Ｂ方向に移動させることが出来る。
【００３２】
次に前記ＣＰＵによるプリントヘッド位置の制御方法を図５の処理チャートに沿って説明する。印刷ＪＯＢが投入されると、Ｓｔｅｐ１においてＣＰＵは、印字幅を読み込む。Ｓｔｅｐ２ではＣＰＵは、印字幅が２９７ｍｍ（Ａ３用紙の短辺幅に相当）より狭ければＳｔｅｐ３ａの処理をするように判断を下す。また印字幅が２９７ｍｍ（Ａ３用紙の短辺幅に相当）より広ければＳｔｅｐ３ｂの処理をするように判断を下す。
【００３３】
Ｓｔｅｐ３ａではＣＰＵは、前記プリントヘッド位置制御モータにより図２のＡ方向に各色一対のプリントヘッドを移動する。この結果、各色一対のプリントヘッドは、スウォースがほぼ重なる様に配列される。Ｓｔｅｐ４ａではマルチヘッドプリントモードによるプリントが行われる。次にこのマルチヘッドプリントモードにおける画像形成方法について図７を用い説明する。まず被記録材は各色一対のプリントヘッドのうち、搬送方向の上流側のプリンタヘッドから吐出されたインク滴が、疎らに着弾する。該インク滴が定着した後に、下流側プリンタヘッドから吐出されたインクが定着したインク滴に隣接して着弾する。この様に隣接するインク滴の着弾タイミングを変えることで、吸収速度が遅い光沢紙や光沢フィルムでも画素の合体による画質劣化を防ぐ。
【００３４】
またＳｔｅｐ３ｂではプリントヘッド制御装置は、プリントヘッド位置制御モータを作動させ、各色のプリントヘッドを一つずつ図２の矢印Ｂ方向に移動させる。その結果、図７に示すように各色一対のプリントヘッドは、スウォースの重なり幅が微小またはゼロになる様に配列される。このため最大印字幅は５９４ｍｍまで広がり、Ａ１（短辺が５９４ｍｍ）紙まで印字可能になる。Ｓｔｅｐ４ｂではシングルヘッドプリントモードによるプリントが行われる。
【００３５】
またこのシングルヘッドプリントモードは、本発明の第７の請求項に基づきプリント素子の使用回数毎に同色用プリンタヘッドを並び替える機能を付加しても良い。すなわちＣＰＵは図示していないプリント素子使用履歴保存装置に貯められた各ノズルの使用履歴を参照し、同色用プリンタヘッド間でプリント素子の使用回数の開きがの大きさを判定する。もし該使用回数の開きが大きければ該同色用プリンタヘッドを並び替える。この機能はプリンタヘッドの耐久性を高く出来るので、付与すると一層よい。
【００３６】
さらにこの実施例ではインクジェット方式のプリント装置について説明したがマルチヘッドプリントモードは、ワイヤドット式、サーマル式等の他の方式を用いたプリント装置であっても、プリント素子の欠陥や、プリント素子の配列位置の製造上の誤差による画像のスジやムラに起因する画質低下に有効であるので、プリントヘッドはワイヤドット式、サーマル式等の他の方式プリントヘッドを用いても良い。
【００３７】
（第２の実施形態）
以下に本発明に基づく第２の実施形態のプリント装置の構成について説明する。本実施形態のプリント装置の外観は実施例１と同様なので説明を省略する。図８はこのプリント装置内の主要な構成を示す模式図である。本実施例では同色のプリントヘッドを３本づつ備えている点を除き実施例１の同様なので説明を省略する。
【００３８】
本実施例でもプリントヘッドがプリント素子列と平行の方向に移動させる手段を備えている。プリントヘッド位置の制御方法はＳｔｅｐ３ａのマルチヘッドプリントモードの構成が図８に示すようにまた、Ｓｔｅｐ３ｂのシングルヘッドプリントモードの構成が図９に示すようになる他は実施例１と同様であるため説明を省略する。シングルヘッドプリントモードでは最大印字幅は８９１ｍｍまで広がり、Ａ０（短辺が８４１ｍｍ）紙まで印字可能になる。
【００３９】
またこのシングルヘッドプリントモードは、本発明の第７の請求項に基づきプリント素子の使用回数毎に同色用プリンタヘッドを並び替える機能を付加しても良い。すなわちＣＰＵは図示していないプリント素子使用履歴保存装置に貯められた各ノズルの使用履歴を参照し、同色用プリンタヘッド間でプリント素子の使用回数の開きがの大きさを判定する。もし該使用回数の開きが大きければ該同色用プリンタヘッドを並び替える。この機能はプリンタヘッドの耐久性を高く出来るので、付与すると一層よい。
【００４０】
さらにこの実施例ではインクジェット方式のプリント装置について説明したがマルチヘッドプリントモードは、ワイヤドット式、サーマル式等の他の方式を用いたプリント装置であっても、プリント素子の欠陥や、プリント素子の配列位置の製造上の誤差による画像のスジやムラに起因する画質低下に有効であるので、プリントヘッドはワイヤドット式、サーマル式等の他の方式プリントヘッドを用いても良い。
【００４１】
（第３の実施形態）
以下に本発明に基づく第３の実施形態のプリント装置の構成について説明する。本実施形態のプリント装置の外観は実施例１と同様なので説明を省略する。図１０はこのプリント装置内の主要な構成を示す模式図である。本実施例では同色のプリントヘッドを４本づつ備えている点を除き実施例１の同様なので説明を省略する。
【００４２】
本実施例でもプリントヘッドがプリント素子列と平行の方向に移動させる手段を備えている。プリントヘッド位置の制御方法はＳｔｅｐ３ａのマルチヘッドプリントモードの構成が図１０に示すように、またＳｔｅｐ３ｂのシングルヘッドプリントモードの構成が図１１に示すようになる他は実施例１と同様であるため説明を省略する。
【００４３】
シングルヘッドプリントモードでは最大印字幅は１１８８ｍｍまで広がり、Ｂ０（短辺が１０３０ｍｍ）紙まで印字可能になる。
【００４４】
またこのシングルヘッドプリントモードは、本発明の第５の請求項に基づきプリント素子の使用回数毎に同色用プリンタヘッドを並び替える機能を付加しても良い。すなわちＣＰＵは図示していないプリント素子使用履歴保存装置に貯められた各ノズルの使用履歴を参照し、同色用プリンタヘッド間でプリント素子の使用回数の開きがの大きさを判定する。もし該使用回数の開きが大きければ該同色用プリンタヘッドを並び替える。この機能はプリンタヘッドの耐久性を高く出来るので、付与すると一層よい。
【００４５】
さらにこの実施例ではインクジェット方式のプリント装置について説明したがマルチヘッドプリントモードは、ワイヤドット式、サーマル式等の他の方式を用いたプリント装置であっても、プリント素子の欠陥や、プリント素子の配列位置の製造上の誤差による画像のスジやムラに起因する画質低下に有効であるので、プリントヘッドはワイヤドット式、サーマル式等の他の方式プリントヘッドを用いても良い。
【００４６】
（第４の実施形態）
以下に本発明に基づく第４の実施形態のプリント装置の構成について説明する。本実施形態のプリント装置の外観は実施例１と同様なので説明を省略する。図１２はこのプリント装置内の主要な構成を示す模式図である。プリントヘッド部分は実施例１の同様なので説明を省略する。
【００４７】
本実施例は、同色のプリントヘッドのうち、一つだけがプリント素子列と平行の方向に移動させる手段を備えている。プリントヘッド位置の制御方法はＳｔｅｐ３ａのマルチヘッドプリントモードの構成が図１２に示すように、またＳｔｅｐ３ｂのシングルヘッドプリントモードの構成が図１３に示すようになる他は実施例１と同様であるため説明を省略する。
【００４８】
この第４の実施例は同色のプリントヘッドのうち、一つだけがプリント素子列と平行の方向に移動させる手段を備えているので実施例１よりも製造が安易で廉価な方法である。
【００４９】
さらにこの実施例ではインクジェット方式のプリント装置について説明したがマルチヘッドプリントモードは、ワイヤドット式、サーマル式等の他の方式を用いたプリント装置であっても、プリント素子の欠陥や、プリント素子の配列位置の製造上の誤差による画像のスジやムラに起因する画質低下に有効であるので、プリントヘッドはワイヤドット式、サーマル式等の他の方式プリントヘッドを用いても良い。
【００５０】
（第５の実施形態）
以下に本発明に基づく第５の実施形態のプリント装置の構成について説明する。本実施形態のプリント装置の外観は実施例１と同様なので説明を省略する。図１４はこのプリント装置内の主要な構成を示す模式図である。本実施例ではユーザーがプリントヘッドの位置を変える点を除き実施例１の同様なので説明を省略する。
【００５１】
図１５は本発明のプリント装置の制御系の構成の一例を示すブロック図である。図１５はプリントヘッド位置制御モータ３９が存在しないことを除いて図４と同様なので説明を省略する。プリントヘッドの位置はユーザーが印字幅に応じて印刷ＪＯＢ投入直後に変更する。
【００５２】
次に前記ＣＰＵによるのプリントヘッド位置の制御方法を図１６の処理チャートに沿って説明する。Ｓｔｅｐ１とＳｔｅｐ２は図５と同様であるため説明を省略する。
【００５３】
Ｓｔｅｐ３ａではではマルチヘッドプリントモードによるプリントが行われる。またＳｔｅｐ３ｂではシングルヘッドプリントモードによるプリントが行われる。さらにこの実施例ではインクジェット方式のプリント装置について説明したがマルチヘッドプリントモードは、ワイヤドット式、サーマル式等の他の方式を用いたプリント装置であっても、プリント素子の欠陥や、プリント素子の配列位置の製造上の誤差による画像のスジやムラに起因する画質低下に有効であるので、プリントヘッドはワイヤドット式、サーマル式等の他の方式プリントヘッドを用いても良い。
【００５４】
【発明の効果】
以上説明したように、本発明に基づくプリント装置は同色用の複数プリントヘッドが被記録材の同一部分をプリントするマルチヘッドプリントモードと、同色用の複数プリントヘッドが搬送方向に対して直交する方向に並列した被記録材の異なる部分をそれぞれプリントするシングルヘッドプリントモードを有する。これにより、Ａ３の大きさの光沢紙や光沢フィルムへの高速で高品位の写真調画像カラープリントが可能である一方、Ａ１判などの大きいサイズの被記録材へのプリントが可能なプリント装置を廉価に提供することができる。
【図面の簡単な説明】
【図１】本発明に基づくプリント装置の外観を示す斜視図である。
【図２】本発明の第１の実施例に基づくプリント装置のマルチヘッドプリントモードにおけるプリント制御装置の構成を示す斜視図である。
【図３】本発明に基づくプリント装置のプリントヘッドを、被記録材側から見た拡大図である。
【図４】本発明に基づくプリント装置の制御系の構成の一例を示すブロック図である。
【図５】本発明の第１から４の実施例に基づくプリント装置のプリント制御装置の処理の流れを示すフローチャートである。
【図６】本発明の第１の実施例に基づくプリント装置のマルチヘッドプリントモードにおける画素形成過程を示す模式図である。
【図７】本発明の第１の実施例に基づくプリント装置のシングルプリントモードにおけるプリント装置の構成を示す斜視図である。
【図８】本発明の第２の実施例に基づくプリント装置のマルチヘッドプリントモードにおけるプリント装置の構成を示す斜視図である。
【図９】本発明の第２の実施例に基づくプリント装置のシングルヘッドプリントモードにおけるプリント装置の構成を示す斜視図である。
【図１０】本発明の第３の実施例に基づくプリント装置のマルチヘッドプリントモードにおけるプリント装置の構成を示す斜視図である。
【図１１】本発明の第３の実施例に基づくプリント装置のシングルヘッドプリントモードにおけるプリント装置の構成を示す斜視図である。
【図１２】本発明の第４の実施例に基づくプリント装置のマルチヘッドプリントモードにおけるプリント装置の構成を示す斜視図である。
【図１３】本発明の第４の実施例に基づくプリント装置のシングルヘッドプリントモードにおけるプリント装置の構成を示す斜視図である。
【図１４】本発明の第５の実施例に基づくプリント装置のマルチヘッドプリントモードにおけるプリント装置の構成を示す斜視図である。
【図１５】本発明に基づくプリント装置の制御系の構成の一例を示すブロック図である。
【図１６】本発明の第５の実施例に基づくプリント装置のプリント制御装置の処理の流れを示すフローチャートである。
【図１７】本発明の第５の実施例に基づくプリント装置のシングルヘッドプリントモードにおけるプリント装置の構成を示す斜視図である。
【図１８】従来のフルマルチタイプのプリントヘッドをもちいたプリント装置の構成を示す斜視図である。
【符号の説明】
１    給紙トレイ
２    排紙トレイ
１１    搬送ベルト
１２    被記録材
１３    搬送ローラ
１４    搬送ローラ
１５    プリントヘッドレール
１６    プリントヘッド
２０    ノズル
３１    プリントデータ入力部
３２    操作部
３３    ＣＰＵ
３４    記憶媒体
３５    ＲＡＭ
３６    画像処理部
３７    プリント部
３８    パス
３９    プリントヘッド位置制御モータ
【図１】
2004216793.tif 000003
【図２】
2004216793.tif 000004
【図３】
2004216793.tif 000005
【図４】
2004216793.tif 000006
【図５】
2004216793.tif 000007
【図６】
2004216793.tif 000008
【図７】
2004216793.tif 000009
【図８】
2004216793.tif 000010
【図９】
2004216793.tif 000011
【図１０】
2004216793.tif 000012
【図１１】
2004216793.tif 000013
【図１２】
2004216793.tif 000014
【図１３】
2004216793.tif 000015
【図１４】
2004216793.tif 000016
【図１５】
2004216793.tif 000017
【図１６】
2004216793.tif 000018
【図１７】
2004216793.tif 000019
【図１８】
2004216793.tif 000020